(57)【要約】【課題】入力部がどのような形式を採用しているかに拘らず、ユーザが携帯端末で任意のキー配列のキーボードを利用しても適正にコード変換する。【解決手段】本発明は、入力部で入力した文字を含む入力結果を所定のアルゴリズムにしたがってコード変換するコード変換部と、携帯端末と近距離無線方式で相対的に認識した状態で相互通信可能とする通信部と、を備え、前記通信部は、所定のアプリケーションを予めインストールした前記携帯端末のタッチパネル方式を採用した表示部に表示したキーボード画像からの入力結果を受信し、前記コード変換部は、前記通信部で受信した前記携帯端末からの入力結果を前記表示部に表示した前記キーボード画像のキー配列に対応して変換する。【選択図】図１
2017183931.tif 000002
【特許請求の範囲】
【請求項１】
入力部で入力した文字を含む入力結果を所定のアルゴリズムにしたがってコード変換するコード変換部と、
携帯端末と近距離無線方式で相対的に認識した状態で相互通信可能とする通信部と、
を備え、
前記通信部は、
所定のアプリケーションを予めインストールした前記携帯端末のタッチパネル方式を採用した表示部に表示したキーボード画像からの入力結果を受信し、
前記コード変換部は、
前記通信部で受信した前記携帯端末からの入力結果を前記表示部に表示した前記キーボード画像のキー配列に対応して変換する、
ことを特徴とする電子機器。
【請求項２】
請求項１記載の電子機器において、
前記入力部は、
装置本体に配置したキーボード部であり、
前記コード変換部は、
前記キーボード部で入力した文字を含む入力結果に応じてコード変換した文字を前記装置本体に設けた表示部に表示するとともに、前記通信部で受信した前記携帯端末からの入力結果を前記キーボード部のキー配列に拘らず前記キーボード画像の入力結果を優先してコード変換する、
ことを特徴とする電子機器。
【請求項３】
請求項２記載の電子機器において、
前記キーボード部は、
前記装置本体に設けた設置部に対して着脱可能とされ、
前記設置部には、
前記携帯端末を載置可能としている、ことを特徴とする電子機器。
【請求項４】
電子機器のコンピュータが、
入力部で入力した文字を含む入力結果を所定のアルゴリズムにしたがってコード変換するコード変換機能と、
携帯端末と近距離無線方式で相対的に認識した状態で相互通信可能とする通信機能と、
を実行するとともに、
前記通信機能は、
所定のアプリケーションを予めインストールした前記携帯端末のタッチパネル方式を採用した表示部に表示したキーボード画像からの入力結果を受信し、
前記文字変換機能は、
前記通信機能で受信した前記携帯端末からの入力結果を前記表示部に表示した前記キーボード画像のキー配列に対応して変換する、
ための電子機器におけるキーボード制御プログラム。
【発明の詳細な説明】
【技術分野】
【０００１】
本発明は、電子機器及びキーボード制御プログラムに関する。
【背景技術】
【０００２】
近年、スマートフォンやタブレット端末といった携帯端末は、その普及に伴って高機能化が促進し、パーソナルコンピュータとそん色のない機能を有するようになっている。
【０００３】
また、携帯端末は、文字通り携帯性を優先しているため、ハードウエア震源をある程度犠牲にしないとならない。
【０００４】
一方、これら携帯端末は、携帯端末にインストールしたアプリケーションを用いてプリンタ等のパーソナルコンピュータ用の周辺機器と無線又は有線により接続を可能とし、パーソナルコンピュータを用いずにダイレクトに印刷を行うこともできるようになっている。
【０００５】
この際、上述したように、携帯端末は、携帯性に優れた小型のコンピュータとしての機能を有している一方、小型であるがゆえに操作性において使用し難いという問題を有していた。
【０００６】
そこで、例えば、自宅などにおいて携帯端末を利用する際の操作性を向上すべく、アタッチメント方式でキーボードを接続し、携帯端末の画面をそのままパーソナルコンピュータのモニタとしての機能を具備させるなどの応用技術も開発されつつある（例えば、特許文献１参照。）。
【先行技術文献】
【特許文献】
【０００７】
【特許文献１】特開２００８−１８６４２７号公報
【発明の概要】
【発明が解決しようとする課題】
【０００８】
しかしながら、上述したキーボード等の携帯端末とアタッチメント方式で接続可能な電子機器にあっては、携帯端末に対する外部デバイスとしての機能であって、携帯端末に接続する電子機器の一つとしてしか利用することができず、汎用性が劣るという問題が生じていた。
【０００９】
一方、上述した電子機器、例えば、ラベルプリンタにあっては、機種によって本体の大きさや機能が全く異なっており、文字入力のためのキーボードのキー配列が、例えば、コンピュータ用英語キーボードに代表されるＱＷＥＲＴＹ配列、プッシュボタン式電話機等の数字配列にあ行、か行等の日本語やＡＢＣ等のアルファベット文字を割り当てたプッシュボタン配列、英数字を番号順及びアルファベット順に配置したＡＢＣ配列、等さまざまである。
【００１０】
このような複数の異なるキー配列のキーボードにあっては、本体の大きさを考慮した機能性を考慮した結果であることが多いが、ユーザ側にとっては機種ごとに異なる操作を余儀なくされ、操作が煩雑化するという問題が生じていた。
【００１１】
そこで、本発明は、入力部がどのような形式を採用しているかに拘らず、ユーザが携帯端末で任意のキー配列のキーボードを利用しても適正にコード変換することができる電子機器及びキーボード制御プログラムを提供することを目的とする。
【課題を解決するための手段】
【００１２】
上記課題を解決するため、本発明の電子機器は、入力部で入力した文字を含む入力結果を所定のアルゴリズムにしたがってコード変換するコード変換部と、携帯端末と近距離無線方式で相対的に認識した状態で相互通信可能とする通信部と、を備え、前記通信部は、所定のアプリケーションを予めインストールした前記携帯端末のタッチパネル方式を採用した表示部に表示したキーボード画像からの入力結果を受信し、前記コード変換部は、前記通信部で受信した前記携帯端末からの入力結果を前記表示部に表示した前記キーボード画像のキー配列に対応して変換する、ことを特徴とする。
【００１３】
本発明の電子機器は、キーボード機能を含むキー入力形式或は線分入力を可能とするＸＹプロット入力形式の入力部で入力した文字を含む入力結果を所定のアルゴリズムに従って文字コード等にコード変換するコード変換部を有する。電子機器は、所定のアプリケーションを予めインストールした携帯端末と近距離無線方式で相互通信可能な通信部を有しており、携帯端末とはペアリング等によって相対的に認識した状態で相互通信するようになっている。一方、携帯端末は、電子機器の入力部がどのようなキー配列を用いたキーボードであるかＸＹプロッタであるかといった入力形式に拘らず、好みのキー配列のキーボード画像を表示部に表示することができるようになっている。コード変換部は、携帯端末の表示部にどのようなキー配列のキーボードを表示して入力したのかを、通信部の相互通信機能によって携帯端末で適用したキー配列を認識することによって、適正な入力結果の基づくコード変換を可能とする。
【００１４】
このように、携帯端末はユーザの好みのキー配列のキーボード画像を表示し、電子機器は携帯端末のタッチパネル方式を採用した表示部によるキー選択位置を表示部に表示したキーボード画像に対応して識別してコード変換することができる。
【００１５】
第２発明の電子機器は、第１発明の電子機器において、前記入力部は、装置本体に配置したキーボード部であり、前記コード変換部は、前記キーボード部で入力した文字を含む入力結果に応じてコード変換した文字を前記装置本体に設けた表示部に表示するとともに、前記通信部で受信した前記携帯端末からの入力結果を前記キーボード部のキー配列に拘らず前記キーボード画像の入力結果を優先してコード変換する、ことを特徴とする。
【００１６】
第２発明の電子機器は、電子機器本体にキーボード部を備えていたとしても、そのキーボード部のキー配列がどのようになっているかに拘らず、携帯端末の表示部に表示したキーボード画像を用いた入力を適正にコード変換することができる。
【００１７】
第３発明の電子機器は、第２発明の電子機器において、前記キーボード部は、前記装置本体に設けた設置部に対して着脱可能とされ、前記設置部には、前記携帯端末を載置可能としている、ことを特徴とする。
【００１８】
第３発明の電子機器は、キーボード部が装置本体の設置部から着脱可能となっている。これにより、ユーザか好みのキーボード画像を表示した状態の携帯端末を設置部に載置すれば、そのままキーボード部として利用することができる。
【００１９】
上記課題を解決するため、本発明の電子機器におけるキーボード制御プログラムは、電子機器のコンピュータが、入力部で入力した文字を含む入力結果を所定のアルゴリズムにしたがってコード変換するコード変換機能と、携帯端末と近距離無線方式で相対的に認識した状態で相互通信可能とする通信機能と、を実行するとともに、前記通信機能は、所定のアプリケーションを予めインストールした前記携帯端末のタッチパネル方式を採用した表示部に表示したキーボード画像からの入力結果を受信し、前記文字変換機能は、前記通信機能で受信した前記携帯端末からの入力結果を前記表示部に表示した前記キーボード画像のキー配列に対応して変換する、ものである。
【００２０】
本発明の電子機器におけるキーボード制御プログラムは、電子機器のコンピュータは、コード変換機能により入力部で入力した文字等の入力結果を所定のアルゴリズムに従ってコード変換する。電子機器のコンピュータは、通信機能により、所定のアプリケーションを予めインストールした携帯端末と近距離無線方式で相互通信する。電子機器のコンピュータは、携帯端末とペアリング等によって相対的に認識した状態で相互通信するようになっている。一方、携帯端末は、予めインストールしたアプリケーションを起動させることにより、電子機器の入力部がどのような入力形式を採用しているのかに拘らず、好みのキー配列のキーボード画像を表示部に表示することができる。したがって、電子機器のコンピュータは、通信機能により、携帯端末の表示部にどのようなキー配列のキーボードを表示しているのかを識別したうえで携帯端末からの入力結果を受信する。これにより、電子機器のコンピュータは、コード変換機能により、携帯端末の表示部にどのようなキー配列のキーボードを表示して入力したのかに拘らわず、携帯端末で適用したキー配列の入力結果に対応した入力結果に基づくコード変換を実行する。
【発明の効果】
【００２１】
本発明の電子機器及びキーボード制御プログラムは、入力部がどのような形式を採用しているかに拘らず、ユーザが携帯端末で任意のキー配列のキーボードを利用しても適正にコード変換することができる。
【図面の簡単な説明】
【００２２】
【図１】本発明の一実施形態に係るシステムのブロック図である。
【図２】本発明の一実施形態に係る電子機器の一例を示す、電子機器の正面図である。
【図３】本発明の一実施形態に係る電子機器の一例を示す、他の電子機器の正面図である。
【図４】本発明の一実施形態に係る電子機器の一例を示す、他の電子機器の正面図である。
【図５】携帯端末における表示例を示し、（Ａ）は図２に示した電子機器のキーボード配置例の説明図、（Ｂ）は図３に示した電子機器のキーボード配置例の説明図、（Ｃ）は図４に示した電子機器のキーボード配置例の説明図である。
【図６】本発明の一実施形態に係る電子機器の他例を示す、電子機器の正面図である。
【発明を実施するための形態】
【００２３】
次に、本発明の一実施形態に係る電子機器をラベル印刷機に適用し、図面を参照して説明する。なお、以下に示す実施形態は本発明の電子機器における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００２４】
図１において、電子機器１０は、例えば、電源ＯＮ／ＯＦＦ用のスイッチや各種機能のＯＮ／ＯＦＦ並びに各種文字入力キー等を所定の配列としたキーボードを含む入力部１１と、入力した文字キーに対応した文字コードにしたがって所定の文字や図柄等を表示する表示部１２と、文字コードや本実施の形態に係る機能を実現するためのプログラムを含む電子機器１０の機能全般に係るプログラムを記憶した記憶部１３と、記憶部１３に記憶したプログラムにしたがって電子機器１０の電子的制御を実行する制御回路１４と、携帯端末２０とで相互通信するための通信部１５と、入力部１１を用いてユーザが入力した文字等をラベルに印刷するサーマルヘッド等の印字部１６と、ラベルの搬送や切断を行うための駆動部１７と、を備える。なお、電子機器１０の印字部１６及び駆動部１７の具体的な構成等は公知の者を使用することができるため、ここでは、その詳細な説明は省略する。
【００２５】
入力部１１は、ラベル印刷機として電子機器１０の種類によって、文字入力のためのキーボードのキー配列やきモード等が異なっている。具体的には、図２に示すように、プッシュボタン式電話機等の数字配列にあ行、か行等の日本語やＡＢＣ等のアルファベット文字を割り当てたプッシュボタン配列、図３に示すように、コンピュータ用英語キーボードに代表されるＱＷＥＲＴＹ配列、図４に示すように、英数字を番号順及びアルファベット順に配置したＡＢＣ配列、等さまざまである。
【００２６】
また、入力部１１は、電子機器１０の機種によって固有又は共通の各種モードを備えているため、そのモードを呼び出すためのファンクションキーを備えている。
【００２７】
記憶部１３は、上述した電子機器１０の各種モードを自身のモードに対応して割り当てたファンクションキーに対応した機能を実現するためのアルゴリズムに加え、他の前記主のキーボード配列に対応した文字キーに対応した文字コードを含むキーボード配列に対応した機能用のアルゴリズムを記憶している。したがって、記憶部１３と制御回路１４とは、記憶部１３に記憶したプロ蔵身に従って各種機能を実行するコンピュータを構成している。
【００２８】
制御回路１４は、印字部１６及び駆動部１７に対する駆動制御に加え、入力部１１で入力したキーに対応したモードの実行並びに文字キーのユーザ入力に連動して文字等の入力結果を所定のアルゴリズムに従ってコード変換するコード変換機能（漢字変換機能等を含む辞書機能）を実行する。
【００２９】
通信部１５は、例えば、近距離無線通信方式であるＢｌｕｅｔｏｏｔｈ（登録商標）や赤外線無線等により所定の携帯端末２０とで相互通信（ペアリング）を可能とする。これにより、制御回路１４は、通信部１５で相互通信状態となった携帯端末２０と自機とを相対的な認識状態とするともに、携帯端末２０を用いたユーザからの指示を解析する。
【００３０】
携帯端末２０は、スマートフォンやタブレット端末、或は、電子ノートなどを用いることができる。携帯端末２０は、自機の各種機能を実現するためのプログラムに加え、本実施の形態に係る電子機器１０の機能を実現するための所定のアプリケーション（プログラム）を記憶した記憶部２１と、記憶部１２に記憶したプログラムにしたがって所定の機能を実現する制御回路２２と、タッチパネル方式を採用した表示部２３と、近距離無線通信方式であるＢｌｕｅｔｏｏｔｈ（登録商標）や赤外線無線等と通信部２４と、を備える。尚、携帯端末２０は、公知のスマートフォンやタブレット端末、或は、電子ノートを用いることができるため、その固有の機能についての説明は省略する。
【００３１】
図５に示すように、携帯端末２０には、例えば、小型でコンパクトなコンピュータ機能を備えるスマートフォンを用いることができ、本実施の形態に係るアプリケーションを起動することによって、図２〜図５に示した各種キーボード配列に対応したキーボード画像を表示部２３の表示画面２３ａに表示することができる。
【００３２】
なお、この例では、図５（Ａ）に示したキーボード画像は図２に対応したプッシュボタン配列、図５（Ｂ）に示したキーボード画像は図３に対応したＱＷＥＲＴＹ配列、図５（Ｃ）に示したキーボード画像は図４に対応したＡＢＣ配列、である。なお、携帯端末２０は、これら各種キーボード配列のキーボード画像に加え、電子ノート機能として、フリック入力のためのキーボード画像を表示することができる。そのような場合には、携帯端末２０の表示部２３の表示画面２３ａには、所謂ファンクションキーの画像とフリック入力のためのＸＹ入力用エリア画像が表示される。また、図５では、携帯端末２０の表示画面２２ａに、電子機器１０の表示部１２に対応する表示エリア１２’を表示させ、実際の文字入力等を手元で確認できるようにしているが、表示エリア１２’は表示させなくてもよい。
【００３３】
このような基本構成において、本実施の形態に係る電子機器１０の制御回路１４は、通信部１５と通信部２４との相互通信の通信機能により、予めインストールしたアプリケーションを起動させた携帯端末２０の表示部２３の表示顔面２３ａに表示させたキーボード画像に対応した入力を受け付けて処理することができる。
【００３４】
すなわち、電子機器１０の制御回路１４は、自機の入力部１１がどのような入力形式を採用しているのかに拘らず、ユーザが好みのキー配列のキーボード画像を用いたのかを識別したうえで携帯端末２０からの入力結果を受信する。
【００３５】
これにより、電子機器１０の制御回路１４は、コード変換機能により、携帯端末２０の表示部２３にどのようなキー配列のキーボードを表示して入力したのかにかかわらず、携帯端末２０で適用したキー配列の入力結果に対応した入力結果に基づくコード変換を実行する。
【００３６】
この際、電子機器１０の制御回路１４は、記憶部１３に各機種の機種コードに関連付けしたキーボード配列コードとキーコードとを対応して記憶することにより、どのような機種であっても適切にコード変換することができるようになっている。また、電子機器１０の制御回路１０は、ＸＹプロッタ形式のフリック入力を受け付けて文字解析を行うことにより、電子ノート機能を用いた入力に対してもコード変換することができる。
【００３７】
このように、本発明の電子機器１０にあっては、自機に設置のキーボード配列の入力部１１だけでなく、携帯端末２０を利用した自機用及び他機種用のキーボード配列による入力をも適切に受け付けて処理することができる。
【００３８】
ところで、上記実施の形態では、電子機器１０と携帯端末２０とが完全に独立した形式の場合で説明したが、例えば、図６（Ａ）に示すように、電子機器１０のキーボード部１１Ａ（入力部１１）を装置本体１０Ｂからユニットで着脱可能として載置部１８を設け、図６（Ｂ）に示すように、この載置部１８に携帯短滅２０を載置して好みのキーボード配置とした一体的な電子機器１０として利用することも可能である。
【符号の説明】
【００３９】
１０            電子機器
１１            入力部
１２            表示部
１３            記憶部
１４            制御回路
１５            通信部
２０            携帯端末
２１            記憶部
２２            制御回路
２３            表示部
２４            通信部
【図１】
2017183931.tif 000003
【図２】
2017183931.tif 000004
【図３】
2017183931.tif 000005
【図４】
2017183931.tif 000006
【図５】
2017183931.tif 000007
【図６】
2017183931.tif 000008